(57)【特許請求の範囲】
【請求項１】
建築現場に設置される足場の手すり等の横架材間あるいは横架材と設置面との間に装着され、同横架材に係合する係合部が形成されるとともに同横架材に同係合部が係合された状態で斜め下方に延出される左右一対の支持材と、同両支持材に挟持されるとともに同両支持材から前方に突出する複数のステップとを備えた足場用階段において、
前記ステップはステッププレートと、同ステッププレートの左右両端位置で同ステッププレートの前後方向に延出され同ステッププレートを下方から支持するブラケットから構成され、同ステッププレートは左右基部位置に外方に張り出す略水平に配置される第１の耳部を備えるとともに、同ブラケットは外方に張り出す前記支持材の長手方向に略沿って延出される第２の耳部を備え、同ステップは同第１及び第２の耳部によって前記支持材の内側面に溶着されて片持ち梁状に支持されることを特徴とする足場用階段。
【請求項２】
前記第２の耳部の上端位置は前記第１の耳部の直下に配置されることを特徴とする請求項１に記載の足場用階段。
【請求項３】
前記ステッププレートの前端及び後端には下方に屈曲された補強部が形成されていることを特徴とする請求項１又は２に記載の足場用階段。
【請求項４】
前記ステッププレートの前端に形成された補強部に沿って補強部材が溶着されていることを特徴とする請求項３に記載の足場用階段。
【請求項５】
前記ブラケットの前方は補強部材に連結されていることを特徴とする請求項４に記載の足場用階段。
【発明の詳細な説明】
【技術分野】
【０００１】
本発明は建築現場等で使用される足場用階段に関するものである。
【背景技術】
【０００２】
一般に建築現場等では建築物の周囲に支柱と手すり及び足場板或いは筋交い等によって足場を組み、この足場を利用して特に外回りの作業を行っている。足場には足場板上への乗り込みのしやすさや資材の搬入のため便宜から足場用階段が取り付けられる。作業者は足場用階段を利用して段差のある部分（例えば、地上部と一階部分の足場板との行き来、あるいは上下階の足場板の行き来等）の通行を行う。このような足場用階段の一例として特許文献１の図９〜図１１に示すような足場用階段５０を挙げる。
この足場用階段５０は左右の支持材５１と両支持材５１間に固定されたステップ５２とによる基本構造を採用しており、支持材５１上端にはフック５３が形成され支持材５１下端には回動可能にベース板５４が装着されている。そして、足場の手すりＧにフック５３を引っ掛けるとともにベース板５４を設置面に置いて使用される。ステップ５２は前方に張り出し、踏み代が大きく取られている。これによってステップ５２の足を乗せる面積が大きくなり、上り下りがしやすくなっている。
【特許文献１】特開２００２−３３９５６３号公報（図９〜図１１）
【発明の開示】
【発明が解決しようとする課題】
【０００３】
ところで、この特許文献１の足場用階段５０のステップ５２は一枚の板材をくの字状に折り曲げて基部寄りを支持材５１の内側面に溶接するようにしている。つまり、ステップ５２は側方から見ると分かるように下方からしっかりと支持されているわけではない。折り曲げた板材の基部寄りで左右それぞれ上下２点、つまり計４点で点状に支持されているに過ぎず、実際に使用すると上り下りの際にたわみ安く極めて剛性感に欠けるものである。そのため、上り下りの際にもたわみにくく、剛性感のあるステップを備えた足場用階段が求められていた。
本発明は上記課題を解決するためのものである。その目的は、剛性のあるしっかりとした構造のステップを備えた足場用階段を提供することにある。
【課題を解決するための手段】
【０００４】
上記の目的を達成するために、請求項１に記載の発明では、建築現場に設置される足場の手すり等の横架材間あるいは横架材と設置面との間に装着され、同横架材に係合する係合部が形成されるとともに同横架材に同係合部が係合された状態で斜め下方に延出される左右一対の支持材と、同両支持材に挟持されるとともに同両支持材から前方に突出する複数のステップとを備えた足場用階段において、前記ステップはステッププレートと、同ステッププレートの左右両端位置で同ステッププレートの前後方向に延出され同ステッププレートを下方から支持するブラケットから構成され、同ステッププレートは左右基部位置に外方に張り出す略水平に配置される第１の耳部を備えるとともに、同ブラケットは外方に張り出す前記支持材の長手方向に略沿って延出される第２の耳部を備え、同ステップは同第１及び第２の耳部によって前記支持材の内側面に溶着されて片持ち梁状に支持されるようにしたことをその要旨とする。
請求項２に記載の発明では、請求項１に記載の発明の構成に加え、前記第２の耳部の上端位置は前記第１の耳部の直下に配置されるようにしたことをその要旨とする。
請求項３に記載の発明では、請求項１又は２に記載の発明の構成に加え、前記ステッププレートの前端及び後端には下方に屈曲された補強部が形成されていることをその要旨とする。
請求項４に記載の発明では請求項３に記載の発明の構成に加え、前記ステッププレートの前端に形成された補強部に沿って補強部材が溶着されていることをその要旨とする。
請求項５に記載の発明では、請求項４に記載の発明の構成に加え、前記ブラケットの前方は補強部材に連結されていることをその要旨とする。
【０００５】
上記の構成では、ステップはステッププレートの左右基部位置に形成された第１の耳部によって左右の支持材に溶着され、同時に下方から左右両端位置のブラケットで支持されるとともにそのブラケットは支持材の長手方向に略沿って延出される第２の耳部で左右の支持材に溶着されることとなっている。
そのため、ステップは第１の耳部及び第２の耳部でステップにかかる荷重をしっかりと受け止めることができるとともに、ブラケットがステップを左右位置で受けるためブラケットがたわみにくくなる。また、第２の耳部が支持材の長手方向に沿って延出されるため片持ち梁状に張り出すステップの荷重を比較的正対して受けることができ、第２の耳部がねじれにくく溶着部分が劣化しにくくなる。
第２の耳部はなるべく支持材の長手方向に沿うことが好ましいが、わずかに角度がある場合でもよい、つまり略支持材の長手方向に沿っていればよい。
【０００６】
ここに、第２の耳部の上端位置は第１の耳部の直下に配置されるようにすることが好ましい。つまりなるべく第２の耳部は上方寄りに配置することが好ましい。これによってステッププレートの下側スペースを確保することができるからである。また、ステッププレートの前端及び後端には下方に屈曲された補強部が形成されていることが好ましい。これによってステッププレートの左右方向の剛性が向上しステッププレートがよりたわみにくくなる。更に、補強部に沿って補強部材が溶着されていることが好ましい。これによってより左右方向の強度が向上する。特にステッププレートの肉厚が薄い場合には補強は非常に効果的である。
またブラケットの前方は補強部材に連結されていることが好ましい。これによってステッププレートは前端及び左右端において下方からコ字状のフレーム体に支持されることとなって非常に剛性が向上する。
【発明の効果】
【０００７】
上記各請求項の発明によれば、剛性のあるしっかりとした構造のステップを備えた足場用階段を提供することが可能となる。
【発明を実施するための最良の形態】
【０００８】
以下、本発明の一実施例である足場用階段について図面に基づいて説明する。尚、本実施例で前方とと言う場合には図２における左方向をいう。また、左右と言う場合には図３における左右方向をいう。
図１〜図３に示すように、足場用階段１１は左右に配設された支持材１２を備えている。支持材１２は断面長方形形状の鋼製のパイプから構成されている。両支持材１２の上下端にはそれぞれ上下フック１３，１４が固着されている。両支持材１２間には鋼製の複数（本実施例では７枚）のステップ１５が等間隔で固着されている。足場用階段１１は全体にメッキが施されている。
図１〜図６に示すように、ステップ１５はステッププレート１６及びステッププレート１６の左右両端位置に溶着された一対のブラケット１７から構成されている。図３に示すように、ステッププレート１６は平面視において略長方形形状に構成され、基部寄りに左右外方に張り出す一対の第１の耳部１９が形成されている。第１の耳部１９の後端は屈曲されて第１の補強部２０とされている。第１の耳部１９は所定長さの水平な線状の溶接部位と第１の補強部２０の側縁によって支持材１２の内側面に溶着されている。
ステッププレート１６の前端は下方側に屈曲されて第２の補強部２１とされている。第２の補強部２１の裏面側（内側）には補強部材としての補強プレート２２が配設されている。補強プレート２２は第２の補強部２１の先端とステッププレート１６の裏面に対して溶着されている。補強プレート２２は肉厚長尺の鋼材から構成されステッププレート１６の左右方向全域に渡って配設されている。
ステッププレート１７には適度に間隔を空けながら円錐台形状に上方に隆起した滑り止め部２３がバーリング加工により形成されている。
【０００９】
ブラケット１７は側面視において変形三味線ばち状形状をなし、ステッププレート１６の前後方向においてステッププレート１６の前寄り２／３を下方から支持している。両ブラケット１７の後方には外方に張り出す一対の第２の耳部２５が形成されている。第２の耳部２５の張り出し位置（先端）は平面視において第１の耳部１９の張り出し位置と同じ位置とされている。第２の耳部２５は第１の耳部１９と交叉する上部近接位置から斜め前方に向かって延出されている。図２に示すように第２の耳部２５の延出方向は支持材１２の長手延出方向と一致している。第２の耳部２５は所定長さの斜状の線状の溶接部位によって支持材１２の内側面に溶着されている。
ブラケット１７の前端は前記補強プレート２２に当接した状態で溶着されている。従って、両ブラケット１７と補強プレート２２によってコ字状に構成されたフレームの上にステッププレート１７が載置されることとなりステッププレート１７は前端及び左右端の三方において下方から支持されていることとなる。
図３に示すように、第１の耳部１９の左右幅Ｌ１はステッププレート１６自体の左右幅Ｌ２よりも幅広とされている。つまり、Ｌ１とＬ２の間には若干の隙間Ｐが形成されることとなる。つまりステッププレート１６の左右の支持材１２から前方に突出する部分は左右の支持材１２の幅よりも狭くなっている。
【００１０】
次に、このように構成される足場用階段についてその使用方法について説明する。
まず、足場用階段１１を足場において使用する場合には、図１及び図２に示すように支持材１２の上下フック１３，１４を手すり等の上下の横架材Ｇに係合させる。この時、ステッププレート１６は水平に配置される。作業者はこのステッププレート１６の上を歩行して階上あるいは階下に移動することとなる。
尚、運搬や収納の際には図６に示すように足場用階段１１を複数台数を積み重ねることができる。上記のようにステッププレート１６前方に突出する部分は左右の支持材１２の幅よりも狭くなっているため下方位置にある足場用階段１１のステッププレート１６が上方位置にある足場用階段１１の支持材１２間に食い込んでしまうことはない。
【００１１】
このように構成することにより本実施例の足場用階段１１は以下のような効果を奏する。
（１）ステッププレート１６はブラケット１７と第１及び第２の補強部２０，２１や補強プレート２２によって下方から支持されるため剛性が向上し、ステッププレート１６の上を歩行する際にたわみにくくなる。
（２）図２（ｂ）に示すようにこのステップ１５に荷重（白矢印のイメージ）がかかると片持ち梁状態にあるステップ１５にはトルクが発生し、黒矢印の方向に荷重がかかっていくこととなる。ところが、ブラケット１７の第２の耳部２５は支持材１２の長手延出方向と同じ方向に延出されている。つまりこの荷重を概ね直交するように受けることができ、第２の耳部２５にねじれが生じにくく溶着部分が劣化しにくいようになっている。
（３）ステッププレート１６はブラケット１７によって左右位置のみで支持されることとなっており、ステッププレート１６の下側に支持部材が配設されることはない。上記従来のステップ５２であると下側に配置される支持材が邪魔となって見通しが悪くなったり靴が当たったりする不具合が生じることとなっていたが、そのような不具合は完全に解消される。
【００１２】
なお、この発明は前記実施例に限定されるものではなく、次のように変更して具体化することも可能である。
・ブラケット１７の形状や第２の耳部２５の第１の耳部１９に対する位置関係は上記に限定されるものではない。
・上記実施例では支持材１２は上下フック１３，１４を上下の横架材Ｇに係合させるようにしていたが、下フック１４の替わりに接地面に置かれるベース板を装着するようにしてもよい。
・ステッププレート１６の形状は上記以外の略方形形状であってもよい。
・支持材１２の断面形状は上記では長方形形状とされたが、他の形状であっても構わない。
・補強部材としては上記実施例のような補強プレート２２でなくともよい。
・その他、材質を変更したり、積み重ねた状態で緊縛ベルトを取り付けたり、フック１３，１４の形状を変更したり、ステップ１５の数を変更したり等、本発明はその態様を変更して実施することは自由である。
【図面の簡単な説明】
【００１３】
【図１】本発明の実施例の足場用階段を足場に取り付けた状態を説明する斜視図。
【図２】（ａ）は同じ実施例の足場用階段の足場に取り付けた状態を説明する側面図（ｂ）は（ａ）の円で囲った部分の拡大説明図。。
【図３】同じ実施例の足場用階段の部分拡大平面図。
【図４】同じ実施例の足場用階段の支持材を仮想線で表した部分拡大斜視図。
【図５】同じ実施例の足場用階段のステップの正面図。
【図６】同じ実施例の足場用階段を積載している途中の説明図。
【符号の説明】
【００１４】
１１…足場用階段、１２…支持材、１５…ステップ、１６…ステッププレート、１７…ブラケット、１９…第１の耳部、２５…第２の耳部、Ｇ…横架材。
【図１】
0004954820.tif 000002
【図２】
0004954820.tif 000003
【図３】
0004954820.tif 000004
【図４】
0004954820.tif 000005
【図５】
0004954820.tif 000006
【図６】
0004954820.tif 000007